(57)【要約】【課題】注文に係る作業負荷の削減、および、作業者の入力ミスを削減する印刷受発注システム及び方法及び記録媒体を提供すること。【解決手段】予め印刷物の製造方法に関する情報を登録しておき、該情報を用いて新規の印刷物の製造方法を作成するとともに印刷に係る情報を取得できるようにする。発注者からの印刷物の製造依頼を受ける印刷受発注システムにおいて、印刷物の構成要素を階層的な情報として予め登録しておき、注文に対応する印刷物を製造する際に、該情報から生成した印刷ジョブチケットや作業指示書などの印刷に要する情報を出力する。【選択図】  図３
2014123256.tif 000002
【特許請求の範囲】
【請求項１】
発注者からの印刷物の製造依頼を受ける印刷受発注システムであって、
印刷物を製造するための所定の情報を管理する管理部と、
発注者に印刷物の注文を発注させる発注部と、
発注者からの印刷注文を受ける受注部と、
前記注文と前記管理部で管理する所定の情報に基づき印刷物の製造方法に関する情報を生成する生成部と、
前記生成部で生成した情報を出力する出力部と、
前記出力された情報に基づき印刷物を印刷する印刷部と、
前記出力された情報に基づき印刷された印刷物を加工する加工部と
を備えることを特徴とする印刷受発注システム。
【請求項２】
前記管理部における所定の情報は、
印刷に用いる用紙に関する用紙情報、
印刷に用いるデバイスに関するデバイス情報、
注文の印刷物を製造するための製造方法に関する情報を表す作業指示書を生成するための作業指示書テンプレート、
注文が指定する印刷仕様に従い印刷機に印刷および加工をさせる印刷ジョブチケットテンプレート、
注文が指定する印刷仕様に従い印刷機に印刷をさせるプリントチケットテンプレート、
注文が指定する印刷仕様に従い加工機に加工をさせる加工ジョブチケットテンプレート、
当該印刷物を構成する印刷設定、印刷工程、加工工程、製品仕様、製品、アイテム、
当該印刷受発注システムを利用する顧客に関する顧客情報、
顧客からの印刷物の注文に関する注文情報、
の少なくとも一つ以上を含むことを特徴とする請求項１に記載の印刷受発注システム。
【請求項３】
管理部で管理する情報に基づき、注文に対応する印刷物の製造に用いる情報の有無を判定する判定部を備えることを特徴とする請求項１に記載の印刷受発注システム。
【発明の詳細な説明】
【技術分野】
【０００１】
本発明は、発注者からの印刷物の製造依頼を受ける印刷受発注システムに関する。
【背景技術】
【０００２】
従来、印刷会社が発注者から印刷注文を受けると、印刷会社の作業者は印刷前の準備工程として注文書に記載された印刷物の用紙の種類やサイズ、綴じ方などの印刷仕様をもとに、印刷物を製造するための作業手順を記した作業指示書を作成する。そして、印刷データを指定の印刷仕様で印刷するための設定をＨｏｔＦｏｌｄｅｒと呼ばれる特定のフォルダに設定していた。然る後に、印刷工程として、印刷データを該ＨｏｔＦｏｌｄｅｒに投入し、印刷物を印刷していた（特許文献１参照）。
【先行技術文献】
【特許文献】
【０００３】
【特許文献１】特開２００５−１３５１７４号公報
【発明の概要】
【発明が解決しようとする課題】
【０００４】
しかしながら、上述の印刷前の準備工程では、一つの製品仕様から作成できる印刷物であっても、印刷物ごとに印刷仕様をシステムに入力し作業指示書を作成しなければならなかった。例えば、用紙種がコート紙、用紙サイズがＡ４、製本の仕方がくるみ製本で構成されるＡ社の製品カタログを既に製造済みで、用紙種だけが異なるＢ社の製品カタログを受注した場合、Ａ社の製品カタログとＢ社の製品カタログは用紙種が異なる。したがって、印刷会社の作業者は異なる印刷物として新たに印刷仕様を入力しシステムに登録しなければならなかった。このため、類似の印刷仕様の印刷物であっても、作業者は一から印刷仕様をシステムに入力しなければならず、作業者の入力負荷が高く、入力ミス発生の確率が高かった。
【０００５】
さらに、近年ではインターネットを介して印刷の注文を受けるネット印刷注文サービスにより、発注の敷居が下がったことから、一般の個人からの注文が増加した。これら一般の個人からの注文の特徴として、従来の少品種大部数注文から多品種小部数注文に移行したことが挙げられる。これにより、従来に比べ、一注文にかかる作業時間に占める入力作業の占める割合が増大してきたため、生産性を上げるためにも、入力作業時間の削減は印刷会社にとってますます重要な課題となってきた。
【０００６】
そこで、本発明は、上記課題を鑑み、印刷設定や印刷工程、製品仕様などの印刷仕様を予め印刷受注サーバに登録しておき、注文があった際に注文の印刷仕様に適した製品仕様、印刷工程、印刷設定を選択、適宜編集する。そして、該製品仕様から作業指示書およびジョブチケット（印刷物を製造するための印刷あるいは加工もしくはその両方に関する設定を記述したファイル）を生成する。それを作業者に提供することで、注文に係る作業負荷の削減、および、作業者の入力ミスを削減する印刷受発注システム及び方法及び記録媒体を提供することを目的とする。
【課題を解決するための手段】
【０００７】
上記目的を達成するために、本発明の印刷受発注システムは、印刷物を製造するための所定の情報を管理する管理部と、発注者に印刷物の注文を発注させる発注部と、
発注者からの印刷注文を受ける受注部と、前記注文と前記管理部で管理する所定の情報に基づき印刷物の製造方法に関する情報を生成する生成部と、前記生成部で生成した情報を出力する出力部と、前記出力された情報に基づき印刷物を印刷する印刷部と、前記出力された情報に基づき印刷された印刷物を加工する加工部とを備えることを特徴とする。
【発明の効果】
【０００８】
本発明によれば、予め登録した製品仕様や印刷工程などを用いて、注文の印刷仕様に沿った製品仕様を作成することができるため、少ない工数で注文の印刷物を製造するための製品仕様を作成することができる。これにより、印刷会社は、短い納期で印刷物を発注者に提供することができる。また、予め登録した製品仕様や印刷工程などを利用して新規の製品仕様や印刷工程などを作成できるため、入力作業を削除でき、入力ミスに起因する無駄な印刷や、注文と異なる仕上りの印刷物を納品してしまうようなミスを防止することができる。
【図面の簡単な説明】
【０００９】
【図１】本発明に係る印刷受発注システムのハードウェア構成を示す図
【図２】本発明に係る計算機およびサーバのハードウェア構成を示す図
【図３】実施例１に係る印刷受発注システムの論理構成を示すブロック図
【図４】実施例１に係る初期設定から印刷物の発送までの処理の流れの例を示すシーケンス図
【図５】実施例１に係る印刷会社管理テーブル、ＦＥＳ管理テーブル、顧客管理テーブルの例を示す図
【図６】実施例１に係る用紙情報管理テーブルの例を示す図
【図７】実施例１に係るデバイス情報管理テーブルの例を示す図
【図８】実施例１に係る印刷ジョブチケットテンプレート、プリントチケットテンプレート、加工ジョブチケットテンプレートの例を示す図
【図９】実施例１に係る作業指示書テンプレートの例を示す図
【図１０】実施例１に係る印刷ジョブチケット管理テーブルの例を示す図
【図１１】実施例１に係る印刷物のデータモデルの例を示す図
【図１２】実施例１に係る印刷設定管理テーブルの例を示す図
【図１３】実施例１に係る印刷工程管理テーブル、加工工程管理テーブルの例を示す図
【図１４】実施例１に係る製品仕様管理テーブルの例を示す図
【図１５】実施例１に係る製品管理テーブルの例を示す図
【図１６】実施例１に係るアイテム管理テーブルの例を示す図
【図１７】実施例１に係る発注から受注までの流れの例を示すシーケンス図
【図１８】実施例１に係るアイテム一覧画面の例を示す図
【図１９】実施例１に係る印刷会社における印刷の流れの例を示すシーケンス図
【図２０】実施例１に係る注文一覧画面の例を示す図
【図２１】実施例１に係る注文詳細画面の例を示す図
【図２２】実施例１に係る注文情報管理テーブルの例を示す図
【図２３】実施例２に係る印刷受発注システムの論理構成を示すブロック図
【図２４】実施例２に係る再注文時の印刷会社における印刷の流れの例を示すシーケンス図
【図２５】実施例２に係る注文履歴画面の例を示す図
【発明を実施するための形態】
【００１０】
以下、本発明を図面に基づいて詳しく説明する。
【実施例１】
【００１１】
以下、本発明を適用した実施例１を説明する。まず、図１を用いて本実施例における印刷受発注システムのハードウェア構成を説明する。
【００１２】
＜印刷受発注システムのハードウェア構成＞
図１において、
１は、本印刷受発注システムの顧客となる印刷物を発注する発注者環境、
２は、本印刷受発注システムを運営する印刷受発注サービス会社、
３は、本印刷受発注システムを利用して発注者からの印刷注文を受け、印刷物を製造し、発注者に印刷物を発送する印刷会社、
４は、発注者環境、印刷受発注サービス会社、印刷会社が接続するインターネット、
１１は、発注者が印刷注文を行う計算機、
２１は、発注者の認証、発注者が発注できる印刷物の一覧の提示、発注者からの注文の受け付けなど発注者からの要求に応答するフロントエンドサーバ、
２２は、印刷に係る情報の管理ならびにフロントエンドサーバおよび印刷会社からの該情報の要求に応答する印刷受注サーバ、
２３は、印刷に係る情報を保持するためのデータベースサーバ、
２４は、印刷に係るファイルを保持するためのファイルサーバ、
３１は、印刷会社の作業者が印刷注文に係る情報の取得、送信や印刷機や加工機の制御などに利用する計算機、
３２は、印刷会社が管理する印刷に係るファイルを保持するためのファイルサーバ、
３３は、印刷会社が印刷物の印刷に利用する印刷機、
３４は、印刷会社が印刷物の加工に利用する加工機である。
【００１３】
＜計算機・サーバ類のハードウェア構成＞
次に、図２を用いて、前記計算機およびサーバ類のハードウェア構成を説明する。
【００１４】
図２において、
２０１は、後述の記憶装置２０６上に格納された計算機プログラムを読み込み、解釈、実行する。そして、後述のバス２０９を介してバスに接続された後述のＲＡＭ２０３やディスプレイ２０４などを制御する中央演算処理装置（ＣＰＵ：Ｃｅｎｔｒａｌ  Ｐｒｏｃｅｓｓｉｎｇ  Ｕｎｉｔ）である。
【００１５】
２０２は、バスに接続されたハードウェアとの低レベルでの入出力制御を行う読み出し専用メモリ（ＲＯＭ：Ｒｅａｄ  Ｏｎｌｙ  Ｍｅｍｏｒｙ）、
２０３は、ＣＰＵ２０１が演算する際の情報を一時的に記憶するランダムアクセスメモリ（ＲＡＭ：Ｒａｎｄｏｍ  Ａｃｃｅｓｓ  Ｍｅｍｏｒｙ）、
２０４は、ＣＰＵによる計算結果を表示するディスプレイ、
２０５は、ユーザからの入力を受け付けるキーボード、
２０６は、計算に利用するプログラムやデータを格納する記憶装置、
２０７は、ローカルネットワークやイントラネット、インターネットなどのネットワークに接続するネットワークＩ／Ｆ（Ｉ／Ｆ：インターフェイス）、
２０８は、ユーザが画面上で指定した座標を受け付けるマウスやトラックボールなどのポインティングデバイス、
２０９は、上記ＣＰＵ２０１乃至ポインティングデバイス２０８が接続された信号線であるところのバスである。
【００１６】
計算機およびサーバ類の詳細については本発明においては主たる要件ではないので、詳細な説明は省略する。
【００１７】
＜印刷受発注システムの論理構成＞
次に、図３を用いて本実施例における印刷受発注システムの論理構成を説明する。
【００１８】
図３において、
３０１は、発注者環境の計算機で動作するプログラム、
３０２は、印刷受発注サービス会社の各種サーバで動作するプログラム、
３０３は、印刷会社の計算機で動作するプログラム、
３０４は、発注者からの印刷注文を受け付ける注文情報入力部、
３０５は、前記注文情報入力部で受けた注文情報に基づき、印刷受発注システムに製造依頼、つまりは発注を行う発注部、
３０６は、後述する顧客管理部３０７から注文管理部３１７で構成され、顧客情報、用紙情報、デバイス情報、印刷設定、印刷工程、加工工程、製品仕様、製品、アイテムなどの注文および印刷に係る情報を管理する管理部である。さらに、印刷会社情報、ＦＥＳ情報、印刷ジョブチケットテンプレート、プリントチケットテンプレート、加工ジョブチケットテンプレート、作業指示書テンプレート、および、注文情報も管理する。
【００１９】
ここで、印刷ジョブチケットテンプレートは、印刷物を製造するための作業や印刷物の仕様などを記述した雛形ファイルである。プリントチケットテンプレートは、所望の印刷物を印刷するために印刷機に設定すべき設定を記述した雛形ファイルである。加工ジョブチケットテンプレートは、所望の加工を行うために加工機に設定すべき設定を記述した雛形ファイルである。作業指示書テンプレートは、印刷物を製造するための作業や印刷物の仕様、配送先の項目などを記述した雛形ファイルである。
【００２０】
３０７は、印刷受発注システムを利用する顧客のＩＤやパスワードなどの顧客に関する情報（顧客情報）およびＩＤとパスワードに基づく認証を行う顧客管理部、
３０８は、印刷会社が管理する用紙の名称、ＩＤ、サイズ、紙質、紙色、基準単価、メーカー名、紙厚、紙目、連量、坪量などの用紙に関する情報（用紙情報）を管理する用紙管理部である。
【００２１】
ここで、紙目とは、紙の繊維の配向のことであり、縦目あるいは横目などがある。連量とは、所定のサイズに仕上げられた用紙１０００枚当たりの重量のことである。坪量とは、１ｍ２当たりの用紙の重量のことである。
【００２２】
３０９は、印刷会社が管理する印刷機や加工機などの印刷に用いるデバイスの名称、ＩＤ、メーカー、デジタル印刷機か否か、対応するチケットフォーマットを管理するデバイス管理部である。さらに、印刷面（片面印刷あるいは両面印刷）、印刷時の用紙の向き、印刷色、仕上りサイズ、対応用紙などのデバイスに関する情報（デバイス情報）も管理する。
【００２３】
３１０は、印刷時に利用する印刷ジョブチケットテンプレート、プリントチケット、加工ジョブチケットテンプレートなどのチケットを管理するチケット管理部、
３１１は、印刷物の仕上りサイズ、綴じ方、印刷面、用紙の向き、印刷色、印刷するときに選択すべき用紙トレイ、用紙トレイにセットする用紙のサイズなどの印刷物を印刷する際の設定（印刷設定）に関する情報を管理する印刷設定管理部、
３１２は、印刷に用いる印刷機の名称、印刷ジョブチケットに対応するか否か、外注を利用するか否かを表す外注利用フラグ、印刷ジョブチケットに対応する場合その印刷ジョブチケット名などの印刷工程に関する情報を管理する印刷工程管理部である。さらに、当該印刷工程を構成する部材（印刷物を構成する用紙などの部分品）の数、部材の名称、サイズなども管理する。
【００２４】
３１３は、当該加工工程の名称、ＩＤ、加工区分、外注を利用するか否かを表す外注利用フラグ、加工仕上りサイズ、加工標準単価などの加工工程に関する情報を管理する加工工程管理部、
３１４は、当該製品仕様の名称、ＩＤ、カテゴリ（チラシ、冊子、カタログなど）、外注を利用するか否かを表す外注利用フラグ、当該製品仕様を印刷受発注システム上で利用できるように有効にするか否か、
基準単価、当該製品仕様を構成する印刷工程および加工工程（製品仕様によっては、印刷工程あるいは加工工程のいずれかしか持たない場合もある。例えば、加工を伴わない１枚からなるチラシの場合には印刷工程しか持たない。）も管理する。
【００２５】
３１５は、当該製品の名称、ＩＤ、当該製品を構成する製品仕様などの製品に関する情報を管理する製品管理部、
３１６は、当該アイテムの名称、ＩＤ、公開先のフロントエンドサービス（以下、ＦＥＳ）、価格、販売開始日、販売終了日、出荷日数、注文可能最大部数、当該アイテムを構成する製品などのアイテムに関する情報を管理するアイテム管理部、
３１７は、発注者から発注された注文の名称、ＩＤ、注文日時、価格、注文に関連するアイテムや印刷データなどの注文に関する情報を管理する注文管理部、
３１８は、印刷受発注システムを利用する印刷会社からのデータの入力を受け付ける入力部、
３１９は、後述のデータ保持部３２５に格納される用紙情報、デバイス情報、製品仕様などの印刷に係る情報から所望の情報を検索する検索部、
３２０は、製品仕様を構成する印刷工程と加工工程を工程順に配置し、関連する工程を連結し、製品仕様の構成を後述の情報表示部３２９を介して印刷会社の作業者が視覚的に確認できるよう情報を加工し提供する提供部、
３２１は、製品仕様および部数などの注文に係る情報に基づき印刷料金を算出する料金算出部、
３２２は、発注者からの注文を受け付ける受注部、
３２３は、前記受注部で受けた注文および前記管理部で管理する各種情報に基づき、印刷ジョブチケット、プリントチケット、作業指示書などの印刷物の製造方法に関する情報を生成する生成部、
３２４は、前記生成部で生成した情報を印刷会社からの要求に従い出力する出力部、
３２５は、前記管理部３０６で利用する顧客、用紙、デバイス、チケット、印刷設定、印刷工程、加工工程、製品仕様、製品、アイテム、注文、印刷データなどの各種情報を保持するデータ保持部、
３２６は、計算途中の値を一時的に保持しておくためのバッファメモリ、
３２７は、印刷会社の作業者からの入力を受け付ける指示入力部、
３２８は、前記指示入力部からの入力に従い印刷受発注システムや印刷機あるいは加工機との情報の授受ならびに処理を行う情報処理部、
３２９は、前記情報処理部で処理した情報を表示装置に表示する情報表示部、
３３０は、印刷の際に用いる印刷ジョブチケットや印刷データなどのデータを一時的に保持するデータ保持部、
３３１は、前記情報処理部で指示された印刷データを印刷機で印刷する印刷部、
３３２は、前記情報処理部で指示された部材を加工する加工部である。
【００２６】
＜印刷の全体の流れ＞
次に、図４を用いて印刷の初期設定から印刷物の発送までの全体的な業務の流れについて概要を説明する。
【００２７】
ステップＳ１０１において、印刷会社の作業者は印刷に用いる用紙やデバイス、印刷物の製品などの情報を印刷受発注システムに登録する。
【００２８】
ステップＳ１０２において、発注者と印刷会社は印刷物の印刷仕様について調整を行う。調整は、対面や電話、ＦＡＸ、ｅ−ｍａｉｌなど印刷受発注システム外で行っても良いし、印刷受発注システムに発注者と印刷会社の間で印刷仕様を決定するための手段を設け、該手段を使って行っても良い。さらに言えば、両者の間で、印刷仕様を決定できることができれば、どのような方法を用いても良い。
【００２９】
ステップＳ１０３において、印刷会社の作業者は、ステップＳ１０２で決定した印刷仕様のアイテムを印刷受発注システムに登録する。
【００３０】
ステップＳ１０４において、発注者は、発注者環境の計算機を使って印刷受発注システムにアクセスし、ステップＳ１０３で登録されたアイテムに対して発注を行う。
【００３１】
ステップＳ１０５において、印刷受発注システムは、発注者からの注文を受け付け、注文があったことを印刷会社に通知する。
【００３２】
ステップＳ１０６において、印刷会社の作業者は注文に対応する印刷物を製造するための情報を印刷受発注システムから取得し、印刷機および加工機の設定を行う。
【００３３】
ステップＳ１０７において、印刷会社の作業者は、印刷データを印刷機に投入し、印刷物の印刷・加工を行う。
【００３４】
ステップＳ１０８おいて、印刷会社の作業者は、印刷・加工された印刷物を発注者に発送する。
【００３５】
以上のような流れで、発注された印刷物が発注者に届けられる。
【００３６】
＜初期設定＞
次に、ステップＳ１０１における処理について説明する。情報処理部３２８は、作業者からの入力を管理部３０６に送信し、管理部３０６は受信した情報をデータ保持部３２５に格納する。以下に、データ保持部３２５に格納される、すなわち、印刷受発注システムに登録されるデータについて説明する。尚、以下に説明するデータは、グラフィカルな画面を介して登録するようにしても良いし、データを記述したテキストデータを印刷受発注システムに送信するようにしても良く、どのような登録方法であっても構わない。初期設定で登録される情報は、以下の通りである。印刷会社情報、ＦＥＳ情報、顧客情報、用紙情報、デバイス情報、印刷ジョブチケットテンプレート、プリントチケットテンプレート、加工ジョブチケットテンプレート、印刷設定、印刷工程、加工工程、製品仕様、製品、アイテム、注文情報。以下に図５乃至図１６を用いて各情報について説明する。
【００３７】
＜印刷会社情報＞
図５（ａ）に、印刷受発注サービスに加入している印刷会社に関する情報を管理する印刷会社管理テーブルを示す。テーブルは以下の要素を格納する。
【００３８】
印刷会社を識別するための印刷会社ＩＤ。印刷会社の名称を表す印刷会社名。印刷会社の連絡先と所在地。所有するデバイス数。各デバイスを識別するためのデバイスＩＤ。このデバイスＩＤは、後述するデバイス情報管理テーブルを登録する際にデバイス管理部３０９によって採番されるＩＤである。印刷会社が加入するＦＥＳの数とそのＦＥＳＩＤ。このＦＥＳＩＤは、後述するＦＥＳ管理テーブルを登録する際に管理部３０６によって採番されるＩＤである。
【００３９】
＜ＦＥＳ情報＞
図５（ｂ）に、印刷受発注サービスが展開するＦＥＳに関する情報を管理するＦＥＳ管理テーブルを示す。テーブルは以下の要素を格納する。
【００４０】
ＦＥＳを識別するためのＦＥＳＩＤ。ＦＥＳの名称を表すＦＥＳ名。ＦＥＳに加入している印刷会社数（加入印刷会社数）。加入している印刷会社のＩＤ（加入印刷会社ＩＤ）。
【００４１】
＜顧客情報＞
図５（ｃ）に、印刷受発注サービスを利用している顧客に関する情報を管理する顧客管理テーブルを示す。テーブルは以下の要素を格納する。
【００４２】
顧客を識別するための顧客ＩＤ。顧客の氏名あるいは団体名を表す顧客名。連絡先。印刷物を発送する先である発送先。過去に印刷受発注サービスを介して印刷物を発注した回数（発注回数）。
【００４３】
＜用紙情報＞
図６に、印刷会社が利用する用紙に関する情報を管理する用紙情報管理テーブルを示す。テーブルは以下の要素を格納する。
【００４４】
用紙を識別するための用紙ＩＤ。用紙ＩＤは、印刷受発注システムに用紙を登録する際に用紙管理部３０８によって採番されるＩＤである。用紙の名称を表す用紙名。印刷受発注システムで利用できるようにするか否かを表す有効フラグ。有効の場合には１を設定し、無効の場合には０を設定する。以下、フラグは１が有効、０が無効を示すものとする。用紙のサイズを表す用紙サイズ。用紙の単価を表す基準単価。用紙の特性を表す紙質、紙色、メーカー名、紙厚、紙目、連量、坪量。
【００４５】
＜デバイス情報＞
図７に、印刷会社が利用するデバイスに関するデバイス情報を管理するデバイス情報管理テーブルを示す。テーブルは以下の要素を格納する。
【００４６】
デバイスを識別するためのデバイスＩＤ。デバイスＩＤは、印刷受発注システムにデバイスを登録する際にデバイス管理部３０９によって採番されるＩＤである。デバイスの名称を表すデバイス名。デバイスが対応する印刷ジョブチケットの記述形式を表すチケットフォーマット。デバイスのメーカー名。印刷受発注システムで利用できるようにするか否かを表す有効フラグ。当該デバイスがデジタル印刷機であるか否かを表すデジタル印刷機フラグ、デバイスの説明。当該デバイスに設定できる印刷設定の項目であって、項目の数を表す印刷設定項目数と詳細な設定項目から構成される。
【００４７】
設定項目は、設定項目を識別するための設定項目ＩＤ、設定項目の分類を表す分類、設定項目名、設定形式、設定形式項目、印刷ジョブチケットへ項目を追加するか否かを表す印刷ジョブチケット欄、
プリントチケットへの項目を追加するか否かを表すプリントチケット欄で構成される。
また、デバイスが対応する用紙の種類数を表す用紙種。各用紙のＩＤを表す用紙ＩＤ。この用紙ＩＤは用紙情報管理テーブルが管理する用紙ＩＤである。
【００４８】
＜印刷ジョブチケットテンプレート＞
図８（ａ）に、印刷ジョブチケットテンプレートの例を示す。印刷ジョブチケットテンプレートはＸＭＬ形式で記述され、印刷物を製造するための設定項目が記載されている。設定項目に対する値は記述されておらず、登録される時点では、雛形としての情報しか持たない。発注者によって発注され部数や印刷仕様が確定した際に、それらの値が生成部３２３により追記され、印刷ジョブチケットが完成する。尚、ＸＭＬとは、標準化団体Ｗｏｒｌｄ  Ｗｉｄｅ  Ｗｅｂ  Ｃｏｎｓｏｒｔｉｕｍにより策定された汎用的なマークアップ言語であり、Ｅｘｔｅｎｓｉｂｌｅ  Ｍａｒｋｕｐ  Ｌａｎｇｕａｇｅの略称である。図８（ａ）に印刷ジョブチケットテンプレートの例を示す。図８（ａ）に示す例では、ジョブのタイプが印刷、綴じ方がくるみ製本であることを表す。
【００４９】
＜プリントチケットテンプレート＞
プリントチケットテンプレートも印刷ジョブチケットテンプレート同様ＸＭＬ形式で記述される。記述される内容は、印刷物を印刷するための設定項目である。印刷ジョブチケット同様、設定項目に対する値は記述されていない、あるいは、初期値しか設定されておらず、登録される時点では、雛形としての情報しか持たない。部数や印刷仕様が確定した際に、それらの値が生成部３２３により追記され、印刷ジョブチケットが完成する。図８（ｂ）にプリントチケットテンプレートの例を示す。図８（ｂ）に示す例では、用紙ＩＤ、印刷面、用紙の向きがそれぞれ不定であることを表す。
【００５０】
＜加工ジョブチケットテンプレート＞
加工ジョブチケットテンプレートも印刷ジョブチケットテンプレート同様にＸＭＬ形式で記述される。記述される内容は、印刷物を加工する際の加工方法に関する情報である。図８（ｃ）に加工ジョブチケットテンプレートの例を示す。図８（ｃ）に示す例では、加工工程名がくるみ製本で、加工前の用紙サイズの幅、および、加工後の用紙サイズの幅がそれぞれ不定であることを表す。
【００５１】
＜作業指示書テンプレート＞
作業指示書テンプレートは、印刷物を製造するための情報および発注者に発送するための情報などを入力するための雛形である。作業指示書テンプレートは、具体的には、注文情報、アイテム、製品、製品仕様、印刷工程、加工工程、印刷設定、顧客ＩＤ、発送先などの情報を含む。各情報が持つ要素と作業指示書テンプレートが持つ要素の対応表を参照することで、各情報が持つ要素を作業指示書テンプレートの対応する要素に反映することができる。図９に作業指示書テンプレートの例を示す。図９に示す作業指示書テンプレートは、印刷仕様と発注者情報に関する情報を入力する項目を備える。印刷仕様としては、製品仕様名、印刷工程名、部材数、印刷設定名、用紙名、加工工程名、加工機名などの項目を備える。他方、発注者情報としては、発送先や連絡先などの項目を備える。
【００５２】
＜印刷ジョブチケット＞
図１０に、前記印刷ジョブチケットテンプレートを管理する印刷ジョブチケット管理テーブルを示す。テーブルは以下の要素を格納する。
【００５３】
印刷ジョブチケットテンプレートを識別するための印刷ジョブチケットＩＤ。印刷ジョブチケットＩＤは、印刷受発注システムに印刷ジョブチケットを登録する際にチケット管理部３１０によって採番される。印刷ジョブチケットテンプレートの名称を表す印刷ジョブチケット名。チケットの形式を表すチケットフォーマット。印刷受発注システムで利用できるようにするか否かを表す有効フラグ。印刷ジョブチケットテンプレートのファイル名を表す印刷ジョブチケットファイル名。印刷ジョブチケットテンプレートの説明を表す印刷ジョブチケットの説明欄。
【００５４】
＜印刷物のデータモデル＞
図１１に、印刷物のデータモデルの例を示す。図１１（ａ）は、Ａ４カラー冊子、図１１（ｂ）は４号カラー名刺のデータモデルをそれぞれ表す。
【００５５】
４０１は、２つの印刷工程と２つの加工工程からなるＡ４カラー冊子を表す製品仕様である。
【００５６】
４０２は、冊子の表紙を印刷する印刷工程である。印刷した表紙は後続の加工工程４０４に受け渡すことを表す。
【００５７】
４０３は、冊子の本文を印刷する印刷工程である。印刷した本文は後続の加工工程４０４に受け渡すことを表す。
【００５８】
４０４は、表紙と本文をくるみ製本で加工する加工工程である。本加工工程は、くるみ製本機で本文を表紙でくるみ、４５０×３２０のサイズから２２５×３２０のサイズ（単位はいずれもｍｍ）にくるみ製本することを表す。くるみ製本した冊子は、後続の加工工程４０５に受け渡すことを表す。
【００５９】
４０５は、くるみ製本された表紙と本文の三方を断裁する加工工程である。本加工工程は、三方を断裁し、２２５×３２０のサイズから２１０×２９７のサイズに断裁することを表す。三方とは、印刷物の上辺（天）、下辺（地）、印刷物を綴じていない側の側辺（小口）を指す。尚、三方を断裁する加工を三方断裁と呼ぶ。
【００６０】
４０６は、表紙印刷を表す印刷設定である。デバイス名がＤＥＶ１である印刷機を使い、用紙名がＳＲＡ３コート紙１１０ｋｇの用紙に両面にカラーで印刷することを表す。
【００６１】
４０７は、本文印刷を表す印刷設定である。デバイス名がＤＥＶ１である印刷機を使い、用紙名がＳＲＡ４コート紙７０ｋｇの用紙に両面にカラーで印刷することを表す。
【００６２】
４０８は、１つの印刷工程と１つの加工工程からなる４号カラー名刺を表す製品仕様である。
【００６３】
４０９は、名刺を印刷する印刷工程である。印刷した表紙は後続の加工工程４１０に受け渡すことを表す。
【００６４】
４１０は、印刷工程４０９で印刷された印刷物の四方を断裁する加工工程である。本加工工程は、四方を断裁し、２１０×２９７のサイズから９１×５５のサイズ１０枚に断裁することを表す。四方とは、印刷物の上下左右を指す。尚、四方を断裁する加工を四方断裁と呼ぶ。
【００６５】
４１１は、名刺印刷を表す印刷設定である。デバイス名がＤＥＶ１である印刷機を使い、用紙名がＡ４上質９０ｋｇの用紙に両面にカラーで印刷することを表す。
以下に、上記のＡ４カラー冊子と４号カラー名刺を製造するためのデータ構造について説明する。
【００６６】
＜印刷設定＞
図１２に、印刷設定を管理する印刷設定管理テーブルを示す。テーブルは以下の要素を格納する。
【００６７】
印刷設定を識別するための印刷設定ＩＤ。印刷設定ＩＤは、印刷受発注システムに印刷設定を登録する際に印刷設定管理部３１１によって採番される。当該印刷設定が属する印刷工程の印刷工程ＩＤ。印刷ジョブチケットに対応するか否かを表す印刷ジョブチケット対応フラグ。外注を利用できるか否かを表す外注利用フラグ。当該印刷設定で用いる印刷機のＩＤを表すデバイスＩＤ。当該印刷設定で用いる用紙のＩＤを表す用紙ＩＤ。印刷ジョブチケットに設定する項目を表す印刷ジョブチケット設定項目。その設定項目数。仕上りサイズの幅、高さ、綴じ方。プリントチケットに設定する項目を表すプリントチケット設定項目。その設定項目数。印刷面、用紙の向き、印刷の色、用紙サイズの幅、高さ、用紙ＩＤ。
【００６８】
＜印刷工程＞
図１３（ａ）に、印刷工程を管理する印刷工程管理テーブルを示す。テーブルは以下の要素を格納する。
【００６９】
印刷工程を識別するための印刷工程ＩＤ。印刷工程ＩＤは、印刷受発注システムに印刷工程を登録する際に印刷工程管理部３１２によって採番されるＩＤである。印刷工程の名称を表す印刷工程名。当該印刷工程に属する印刷設定の印刷設定ＩＤ。印刷工程を構成する部材に関する情報であって、部材数、部材名、枚数、単価である。
【００７０】
＜加工工程＞
図１３（ｂ）に、加工工程を管理する加工工程管理テーブルを示す。テーブルは以下の要素を格納する。
【００７１】
加工工程を識別するための加工工程ＩＤ。加工工程ＩＤは、印刷受発注システムに加工工程を登録する際に加工工程管理部３１３によって採番されるＩＤである。加工工程の名称を表す加工工程名。当該印刷工程で用いる加工機の名称を表す加工機名。加工単価を算出する際の単価ボリューム。一度の加工で処理できる単位を表す加工費区分。これは部当たりや枚当たりが設定される。一加工当たりに扱える数量。一加工当たりの単価。
【００７２】
＜製品仕様＞
図１４に、製品仕様を管理する製品仕様管理テーブルを示す。テーブルは以下の要素を格納する。
【００７３】
製品仕様を識別するための製品仕様ＩＤ。製品仕様ＩＤは、印刷受発注システムに製品仕様を登録する際に製品仕様管理部３１４によって採番されるＩＤである。製品仕様の名称を表す製品仕様名。印刷受発注システムで利用できるようにするか否かを表す有効フラグ。製品仕様のカテゴリを表す製品仕様カテゴリ。外注を利用するか否かを表す外注利用フラグ。当該製品使用の単価を表す基準単価。製品仕様に属する部材に関する情報であって、
製品仕様で使用する部材の数を表す部材数、
製品仕様に紐付く印刷工程あるいは加工工程、および、印刷工程に紐付く印刷設定のＩＤを表す部材ＩＤ、
印刷工程および加工工程の連結状態を表す連結情報。
【００７４】
１列目に記載の第一の製品仕様は、前述のＡ４カラー冊子を定義する製品仕様であって、印刷工程ＩＤがＰＲＴ１とＰＲＴ２の印刷工程と、加工工程ＩＤがＰＲＣ１とＰＲＣ２の加工工程で構成されることを示す。さらに、印刷工程ＰＲＴ１は印刷設定ＩＤがＳＥＴ１の印刷設定を、ＰＲＴ２は印刷設定ＩＤがＳＥＴ２の印刷設定で構成される。
【００７５】
印刷工程ＰＲＴ１およびＰＲＴ２は、加工工程ＰＲＣ１に連結され、該加工工程ＰＲＣ１は加工工程ＰＲＣ２に連結されることを表す。
【００７６】
３列目に記載の第三の製品仕様は、前述の４号カラー名刺を定義する製品仕様であって、印刷工程ＩＤがＰＲＴ３と、加工工程ＩＤがＰＲＣ３の加工工程で構成されること示す。さらに、印刷工程ＰＲＴ３は印刷設定ＩＤがＳＥＴ３の印刷設定で構成される。印刷工程ＰＲＴ３は、加工工程ＰＲＣ３に連結されることを表す。
【００７７】
＜製品＞
図１５に、製品を管理する製品管理テーブルを示す。テーブルは以下の要素を格納する。
【００７８】
製品を識別するための製品ＩＤ。製品ＩＤは、印刷受発注システムに製品を登録する際に製品管理部３１５によって採番されるＩＤである。製品の名称を表す製品名。当該製品に紐付く製品仕様の製品仕様ＩＤ。製品のバージョンを管理するための改訂番号。当該製品の販売開始日、販売を終了する予定の販売終了日、標準的な出荷日数を表す標準出荷日数、注文できる最大の部数を表す注文可能最大部数。当該製品に紐付くアイテムのアイテムＩＤ。ＦＥＳに入会した日付を表す入会日、退会した日付を表す退会日。
【００７９】
＜アイテム＞
図１６に、アイテムを管理するアイテム管理テーブルを示す。テーブルは以下の要素を格納する。
【００８０】
アイテムを識別するためのアイテムＩＤ。アイテムＩＤは、印刷受発注システムにアイテムを登録する際にアイテム管理部３１６によって採番されるＩＤである。アイテムの名称を表すアイテム名。当該アイテムに紐付く製品の製品ＩＤ。当該アイテムの価格、納期、公開先のＦＥＳを表す公開先。関連するファイルを表す関連ファイルであって、
入稿データ、構成前データ、校正後データ、校正結果、印刷データ（ＲＩＰ前）、印刷データ（ＲＩＰ後）、作業指示書、印刷ジョブチケットテンプレート、プリントチケットテンプレート、加工ジョブチケットテンプレート。尚、ＲＩＰとは、印刷機が解釈する言語で記述されたデータをラスターイメージに変換する処理である。通常、ＲＩＰは処理に時間がかかるため、ＲＩＰ後の印刷データを保存しておき、次回の注文時に利用できるようにすることで、ＲＩＰ処理時間を省略することができる。
【００８１】
＜発注から受注までの流れ＞
次に、図１７を用いて、発注から受注までの処理の流れを説明する。図１７に発注から受注までのシーケンスを示す。
【００８２】
ステップＳ２０１において、注文情報入力部３０４は、発注者からのログイン要求を顧客管理部３０７に送信し、認証を行う。
【００８３】
ステップＳ２０２において、注文情報入力部３０４は、ステップＳ２０１での認証結果が正しかった場合には、アイテム管理部３１６にアイテム一覧の送信要求を送信する。アイテム管理部３１６は、データ保持部３２５に格納されたアイテム管理テーブルからアイテム情報を取得し、注文情報入力部３０４に送信する。注文情報入力部３０４は、受信したアイテム情報をもとに図１８に示すようなアイテム一覧画面を発注者のディスプレイに表示する。アイテム一覧画面については、図１８を用いて後述する。
【００８４】
ステップＳ２０３において、発注部３０５は、発注者が選択したアイテムに対する注文情報を受注部３２２に送信する。
【００８５】
ステップＳ２０４において、受注部３２２は、注文情報を注文管理部３１７に送信し、発注があった旨のメールを情報処理部３２８に送信する。作業者は発注があった旨を受け取ると指示入力部３２７を介して注文情報の取得要求を情報処理部３２８に発行する。
【００８６】
ステップＳ２０５において、情報処理部３２８は、作業者からの注文情報の取得要求を受けると、注文管理部３１７を介して注文情報を取得する。
【００８７】
ステップＳ２０６において、情報処理部３２８は、情報表示部３２９に注文情報を表示する。発注者は、注文情報を閲覧し、受注するか否かを検討する。
【００８８】
ステップＳ２０７において、情報処理部３２８は、作業者からの受注の決定を受け付けると、注文管理部３１７に受注の決定を送信する。注文管理部３１７は、後述する注文情報管理テーブルにおけるステータスを受注確定に変更する。
【００８９】
ステップＳ２０８において、受注部３２２は、受注確定の旨のメールを発注者に送信する。
【００９０】
＜アイテム一覧画面＞
次に、図１８を用いて、発注者のディスプレイに表示されるアイテム一覧画面を説明する。
【００９１】
５０１は、アイテムの一覧およびメニューを表すアイテム一覧画面である。
【００９２】
５０２は、画面を切り替えるためのメニューである。
【００９３】
５０３は、発注者が発注可能なアイテムの一覧および発注者が選択したアイテムのプレビューを表すアイテム一覧プレビューである。
【００９４】
５０４から５０６は、それぞれアイテム一覧画面、注文履歴画面、ログアウト画面を呼び出すためのアイテム一覧ボタン、注文履歴ボタン、ログアウトボタンである。
【００９５】
５０７は、発注者が発注可能なアイテムの一覧を表すアイテム一覧である。
【００９６】
５０８から５２８は、各アイテムに関するアイテム情報であって、
５０８から５１４、５１５から５２１、５２２から５２８は、それぞれ、第一、第二、第三のアイテムに関するアイテム情報である。
【００９７】
５２９から５３１は、それぞれ、第一、第二、第三のアイテムを選択するための選択欄である。
【００９８】
５３２は、発注者がアイテム一覧５０７で選択したアイテムのプレビューを表示するプレビュー画面である。
【００９９】
５３３は、上記各入力項目の内容でアイテムを発注する際に作業者からの入力を受け付け、設定項目を受注部３２２に送信する発注ボタンである。
【０１００】
５３４は、アイテム一覧画面からの発注手続きをキャンセルする際に作業者からの入力を受け付けるキャンセルボタンである（発注後の注文をキャンセルするためのボタンではない）。
【０１０１】
発注者は、アイテム一覧５０７に表示されるアイテムのうち、発注を希望するアイテムの選択欄（５２９から５３１）にチェックを入力し、部数欄（５１４、５２１、５２８）に所望の部数を入力する。
【０１０２】
＜新規注文時の印刷の流れ＞
次に、図１９を用いて、新規注文に対応する印刷物を印刷する処理の流れを説明する。
【０１０３】
Ｓ３０１において、指示入力部３２７は、作業者からログインＩＤおよびパスワードの入力を受け付け、情報処理部３２８に送信する。情報処理部３２８は、受信したログインＩＤおよびパスワードを管理部３０６に送信し、ログイン認証要求を送信する。管理部３０６は、ログインＩＤとパスワードを照合し、照合結果が正しい場合には、注文一覧を情報処理部３２８に送信する。
【０１０４】
Ｓ３０２において、情報処理部３２８は、注文一覧画面を情報表示部３２９に表示する。作業者は注文一覧画面から所望の注文を選択し、該注文に対応する印刷物を印刷するための関連ファイルの取得要求を入力する。注文一覧画面については図２０を用いて後述する。
【０１０５】
Ｓ３０３において、情報処理部３２８は、関連ファイルの取得要求を注文管理部３１７に送信する。関連ファイルの取得要求については図２１、図２２を用いて後述する。
【０１０６】
Ｓ３０４において、生成部３２３は、取得要求を受けた関連ファイルを生成する。
【０１０７】
Ｓ３０５において、出力部３２４は、生成した関連ファイルを情報処理部３２８に出力する。
【０１０８】
Ｓ３０６において、情報処理部３２８は、出力された関連ファイルを取得し、データ保持部３３０に保存する。
【０１０９】
Ｓ３０７において、印刷部３３１は、印刷ジョブチケットおよび印刷データをＨｏｔＦｏｌｄｅｒに投入し、印刷する。
【０１１０】
Ｓ３０８において、加工部３３２は、加工ジョブチケットに基づきステップＳ３０７で印刷された印刷物を加工機で加工する。具体的には、
まず、情報処理部３２８は、作業者からの指示に基づき加工ジョブチケットを所定のＨｏｔＦｏｌｄｅｒに投入する。
【０１１１】
次に、情報処理部３２８は、投入された加工ジョブチケットを取得し、加工機が解釈できる形式に変換し、加工機に送信する。
【０１１２】
加工部３３２は、受信した加工ジョブチケットに基づき、加工機に備えられている表示パネルに加工方法の選択肢を表示する。
【０１１３】
加工部３３２は、作業者からの加工方法の選択を受け付ける。
【０１１４】
加工部３３２は、加工すべき印刷物が作業者により印刷機に載置されることを待機する。
【０１１５】
加工部３３２は、作業者からの加工開始の入力を受け付けると、受信した加工ジョブチケットに基づき所定の加工を行う。
【０１１６】
注文管理部３１７は、注文に対応する印刷物の製造に用いた関連ファイルを当該注文に関連付けてデータ保持部３２５に保存する。
【０１１７】
＜注文一覧画面＞
次に、図２０を用いて、注文一覧画面について説明する。
【０１１８】
６０１は、印刷会社が受けている注文の一覧を表す注文一覧画面である。
【０１１９】
６０２から６０９は、第一の注文に関する情報である。
【０１２０】
６０２は、注文を識別するための注文ＩＤである。
【０１２１】
６０３は、注文明細を識別するための注文明細ＩＤである。
【０１２２】
６０４は、発注者が希望する希望出荷日である。
【０１２３】
６０５は、注文に対応するアイテムの名称を表すアイテム名である。
【０１２４】
６０６は、注文の発注者を表す取引先である。
【０１２５】
６０７は、注文に対応するアイテムを公開しているＦＥＳの名称を表すＦＥＳ名である。
【０１２６】
６０８は、注文に対応する印刷物の部数である。
【０１２７】
６０９は、注文に対する作業の進捗状況を表すステータスである。
【０１２８】
６１０から６１７は第二の注文に関する情報である。
【０１２９】
６１８および６１９は、それぞれ第一、第二の注文を排他的に選択するためのラジオボタンである。
【０１３０】
６２０は、前記ラジオボタンで選択した注文に関する詳細情報を表示する注文詳細画面を呼び出すための注文詳細ボタンである。
【０１３１】
＜注文詳細画面＞
次に、図２１を用いて、注文詳細画面について説明する。
【０１３２】
７０１は、前記注文一覧画面で選択された注文の詳細情報を表示するための注文詳細画面である。
【０１３３】
７０２は、注文に関する基本情報を表す注文基本情報である。
【０１３４】
７０３から７１０は、注文に関する基本情報であって、それぞれ、注文ＩＤ、アイテム名、部数、注文明細ＩＤ、取引先、ステータス、希望出荷日、公開先のＦＥＳである。
【０１３５】
７１１は、注文に関する詳細情報を表す注文詳細情報である。
【０１３６】
７１２から７１８は、注文に関する詳細情報であって、それぞれ、決済方法、入稿の状況を表す入稿ステータス、発注者が受取を希望する受取希望日、製品名、校正の状況を表す校正ステータス、製品仕様名、作業の状況を表す作業ステータスなどである。
【０１３７】
７１９は、注文に関連するファイルを表す注文関連ファイルである。
【０１３８】
７２０から７２９は、注文に関連するファイルのうち作業者が取得したいファイルを選択するためのチェックボックスであって、
それぞれ、入稿データ、校正前データ、校正後データ、校正結果、印刷データ（ＲＩＰ前）、印刷データ（ＲＩＰ後）、
作業指示書、ジョブチケット、プリントチケット、加工ジョブチケットを選択するためのチェックボックスである。
【０１３９】
７３０は、上記注文関連ファイルの各チェックボックス７２０から７２９の選択状態を取得し、チェックされたファイルに対する送信要求を注文管理部３１７に送信するための保存ボタン、
７３１は、注文詳細画面を閉じるための閉じるボタン７３１である。
【０１４０】
＜注文情報＞
図２２に、印刷受発注システムを介して発注された注文に関する情報を管理する注文情報管理テーブルを示す。テーブルは以下の要素を格納する。
【０１４１】
注文を識別するための注文ＩＤ。注文の名称を表す注文名。注文に紐付くアイテムのＩＤを表すアイテムＩＤ。印刷物の部数。注文に関する明細のＩＤを表す注文明細ＩＤ。取引先、ステータス、希望出荷日、ＦＥＳ、決済の方法。入稿、校正、作業の各ステータス。受取希望日、過去に当該アイテムを注文した回数を表す注文回数。
【０１４２】
＜関連ファイルの生成方法＞
生成部は、データ保持部３２５に格納される注文情報管理テーブルを参照し、注文ＩＤを取得する。
【０１４３】
注文ＩＤに記載のアイテムＩＤを参照し、アイテム管理テーブルから該アイテムＩＤに該当するアイテム情報を取得する。
【０１４４】
アイテム情報に記載の製品ＩＤを参照し、製品管理テーブルから該製品ＩＤに該当する製品情報を取得する。
【０１４５】
製品情報に記載の製品仕様ＩＤを参照し、製品仕様管理テーブルから該製品仕様ＩＤに該当する製品仕様情報を取得する。
【０１４６】
製品仕様情報に記載の部材ＩＤを参照し、印刷工程管理テーブルから該印刷工程ＩＤに該当する印刷工程情報を取得する。また、加工工程管理テーブルから該加工工程ＩＤに該当する加工工程情報を取得する。
【０１４７】
印刷工程情報に記載の印刷設定ＩＤを参照し、印刷設定管理テーブルから該印刷設定ＩＤに該当する印刷設定情報を取得する。
【０１４８】
印刷ジョブチケットを生成する場合には、印刷設定に記載の印刷ジョブチケット設定項目を参照し、不図示の設定項目と印刷ジョブチケットの要素の対応表を参照し、設定項目に設定された値を印刷ジョブチケットの対応する要素に書き込む。例えば、図１２に示す印刷設定管理テーブルに記載の第一の印刷設定であれば、仕上りサイズの幅の値「２１０」を印刷ジョブチケットの「ＦｉｎａｌＣｏｍｐｏｎｅｎｔＳｉｚｅＷｉｄｔｈ」要素に書き込む。
【０１４９】
プリントチケットを生成する場合には、印刷設定に記載のプリントチケット設定項目を参照し、不図示の設定項目とプリントチケットの要素の対応表を参照し、設定項目に設定された値をプリントチケットの対応する要素に書き込む。例えば、図１２に示す印刷設定管理テーブルに記載の第一の印刷設定であれば、印刷面の値である「両面」に相当する値「ＴｗｏＳｉｄｅｄ」をプリントチケットのＤｕｐｌｅｘ要素に書き込む。書き込む値が数値でない場合には、不図示の、印刷設定管理テーブルの値とプリントチケットに書き込む値の対応表を参照する。あるいは、該対応表を設けず、印刷設定管理テーブルの値にプリントチケットに書き込む値を記述するようにしても良い。
【０１５０】
加工ジョブチケットを生成する場合には、管理部３０６で管理される各種印刷仕様に関する情報に基づき、加工ジョブチケットの対応する要素に値を書き込む。例えば、用紙情報管理テーブルに記載の紙厚と印刷工程管理テーブルに記載の枚数から背厚を算出し、該背厚を加工ジョブチケットの対応する要素に書き込む。
【０１５１】
作業指示書を生成する場合には、各種印刷仕様に関する情報に基づき、各種テーブル記載の値を作業指示書の対応する項目に値を書き込む。例えば、作業指示書の用紙名項目であれば、注文情報から順に下層の部材を辿り、印刷設定に記載の用紙ＩＤから対応する用紙の用紙名を取得し、作業指示書の用紙名項目に書き込む。
【０１５２】
以上説明した技術によれば、印刷設定や製品仕様などの印刷物の製造に関する情報を予め紐付けて登録しておくことにより、注文に応じた印刷ジョブチケットや作業指示書などの印刷物を製造するための情報を作業者に提供することができる。これらの情報により、印刷物の製造工数を削減することができ、入力ミスに起因する手戻りの発生を防止することができる。
【実施例２】
【０１５３】
実施例１では、注文に対応する印刷物を製造する際に、予め登録した印刷仕様に関する情報に基づき関連ファイルを生成する例を示した。本実施例では、過去に注文された印刷物に対して再度注文があった際に、過去に生成した関連ファイルを作業者が利用できるようにすることで、前回と同一の仕上がりの印刷物を製造できるようにする例を示す。
【０１５４】
以下、本発明を適用した本実施例を説明する。
【０１５５】
図２３に、本実施例における印刷受発注システムの論理構成を示す。
【０１５６】
図２３において、８０１は、発注者からの当該注文が新規の注文か否かを判定する判定部である。
【０１５７】
次に、図２４を用いて本実施例における注文取得から印刷までの流れを説明する。
【０１５８】
ステップＳ４０１において、判定部８０１は、データ保持部３２５に格納される注文情報管理テーブルを参照し、当該注文における注文回数を取得する。図２２に示す注文情報管理テーブルの例では第一の注文は注文回数が０回のため、新規注文と判定される。他方、第二の注文は注文回数が１回のため、再注文と判定される。新規注文と判定された場合には、ステップＳ３０４に進み、他方、再注文と判定された場合には、ステップＳ３０５に進む。
【０１５９】
＜注文履歴画面＞
発注者はアイテム一覧画面５０１から発注することもできるし、過去の注文履歴からも注文することができる。次に、図２５を用いて、注文履歴から発注するための注文履歴画面を説明する。
【０１６０】
９０１は、発注者が過去に注文した注文履歴およびメニューを表す注文履歴画面、
９０２は、注文履歴の一覧および発注者が選択したアイテムのプレビューを表す注文一覧プレビュー、
９０３は、注文履歴の一覧を表す注文履歴一覧、
９０４から９１７は、各注文履歴に関する注文履歴情報であって、
９０４から９１１、９１２から９１９、９２０から９２７は、それぞれ、第一、第二、第三の注文履歴に関する注文履歴情報、
９２８は、発注者が注文履歴一覧６０３で選択した注文履歴のプレビューを表示するプレビュー画面、
９２９は、上記各入力項目の内容で発注する際に作業者からの入力を受け付け、設定項目を受注部３２２に送信する発注ボタン、
９３０は、注文履歴画面からの発注手続きをキャンセルする際に作業者からの入力を受け付けるキャンセルボタンである（発注後の注文をキャンセルするためのボタンではない）。
【０１６１】
尚、図２５においてアイテム一覧画面５０１と同じ機能の項目については、同一の符号を付し、説明を省略する。
【０１６２】
以上説明した技術によれば、注文時に生成した印刷データを注文情報に紐付けて保存しておくとともに、注文情報に注文回数を保存しておき、再注文時に該注文回数を参照する。そして、２回目以降の注文であれば、作業者に該印刷データを取得させることにより、再注文の際にも前回と同じ仕上りの印刷物を製造することができる。
【他の実施例】
【０１６３】
前記実施例において、印刷設定を印刷工程の下位の構成要素としたが、これに限定するものではなく、印刷設定が持つ情報を印刷工程に持たせても良い。
【０１６４】
また、前記実施例において、加工工程に加工に関する全ての情報を持たせたが、これに限定するものではなく、個々の加工に特有の情報を加工設定として情報を分離し、種々の加工に共通する情報を加工工程に持たせるようにしても良い。
【０１６５】
また、前記実施例において、当該注文が新規注文か否かを判定する際に、注文情報管理テーブルに記載の注文回数を参照したが、これに限るものではなく、
例えば、注文履歴画面からの発注された注文には、既に注文実績があることを示す情報を注文情報に付加し、
他方、アイテム一覧画面から発注された注文には、新規注文であることを示す情報を注文情報に付加し、該付加情報を参照して新規注文か否かを判定するようにしても良い。
【０１６６】
また、新規注文時に生成した関連ファイルをデータ保持部３２５に保持しておき、再注文時には、該関連ファイルの有無を判定するようにしても良い。
【０１６７】
また、前記実施例において、印刷ジョブチケット、プリントチケット、加工ジョブチケット、作業指示書、およびそれらのテンプレートは、ＸＭＬで記述するとしたが、
これに限定する必要はなく、ＳＧＭＬやＨＴＭＬなどのメタ言語でも良く、さらに言えば、当該要素およびその要素が何であるかを識別できればどのような方法で定義しても良い。
【０１６８】
また、前記実施例において、印刷物３３１における印刷方法は、印刷ジョブチケットおよび印刷データをＨｏｔＦｏｌｄｅｒに投入するとしたが、印刷方法はこれに限定するものではなく、
印刷ジョブチケットを印刷機のコントローラが解釈できる形式に変換し、変換した印刷ジョブチケットを印刷データとともにコントローラに入力し印刷するようにしても良く、
さらに言えば、印刷仕様の情報をコントローラが解釈できる形式に加工し、印刷データとともにコントローラに入力し印刷できればどのような方法であっても構わない。
【０１６９】
また、前記実施例において、加工の際に情報処理部３２８が加工ジョブチケットをＨｏｔＦｏｌｄｅｒに投入するとしたが、これに限定するものではなく、
例えば、加工ジョブチケットをＨＴＴＰなどのプロトコルに従いコントローラに送信しても良く、
さらに言えば、印刷仕様に則した印刷物を製造するために必要な情報を加工機に入力することができればどのような方法であっても構わない。
【０１７０】
また、前記実施例において、加工の際に、表示パネルに加工方法の選択肢を表示するとしたが、これに限定するものではなく、
例えば、作業指示書に当該印刷物の加工方法に対応したバーコードを印刷しておき、加工の際に、該バーコードを読み取り、加工方法を特定するようにしても良く、
さらに言えば、印刷物とその加工方法とを対応付ける方法であればどのような方法であっても構わない。
【０１７１】
＜記憶媒体＞
なお、本発明は、複数の機器（例えばホストコンピュータ、インターフェイス機器、リーダ、プリンタなど）から構成されるシステムに適用しても、一つの機器からなる装置（例えば、複写機、ファクシミリ装置など）に適用しても良い。
【０１７２】
また、本発明の目的は、前述した実施形態の機能を実現するソフトウェアのプログラムコードを記録した記憶媒体を、システムあるいは装置に供給し、
そのシステムあるいは装置のコンピュータ（又はＣＰＵ又はＭＰＵ）が記憶媒体に格納されたプログラムコードを読み出し実行することによっても達成されることは言うまでもない。
【０１７３】
この場合、記憶媒体から読み出されたプログラムコード自体が前述した実施形態の機能を実現することになり、そのプログラムコードを記憶した記憶媒体は本発明を構成することになる。
【０１７４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１７５】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行い、
その処理によって前述した実施形態の機能が実現される場合も含まれることは言うまでもない。
【０１７６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、
その機能拡張ボードや機能拡張ユニットに備わるＣＰＵなどが実際の処理の一部又は全部を行い、その処理によって前述した実施形態の機能が実現される場合も含まれることは言うまでもない。
【符号の説明】
【０１７７】
１  発注者環境
２  印刷受発注サービス会社
３  印刷会社
【図１】
2014123256.tif 000003
【図２】
2014123256.tif 000004
【図３】
2014123256.tif 000005
【図４】
2014123256.tif 000006
【図５】
2014123256.tif 000007
【図６】
2014123256.tif 000008
【図７】
2014123256.tif 000009
【図８】
2014123256.tif 000010
【図９】
2014123256.tif 000011
【図１０】
2014123256.tif 000012
【図１１】
2014123256.tif 000013
【図１２】
2014123256.tif 000014
【図１３】
2014123256.tif 000015
【図１４】
2014123256.tif 000016
【図１５】
2014123256.tif 000017
【図１６】
2014123256.tif 000018
【図１７】
2014123256.tif 000019
【図１８】
2014123256.tif 000020
【図１９】
2014123256.tif 000021
【図２０】
2014123256.tif 000022
【図２１】
2014123256.tif 000023
【図２２】
2014123256.tif 000024
【図２３】
2014123256.tif 000025
【図２４】
2014123256.tif 000026
【図２５】
2014123256.tif 000027